【手続補正書】
【提出日】令和2年12月28日(2020.12.28)
【手続補正１】
【補正対象書類名】明細書
【補正対象項目名】全文
【補正方法】変更
【補正の内容】
【発明の詳細な説明】
【発明の名称】通信方法、ネットワーク装置及び端末
【技術分野】
【０００１】
本発明は通信技術に関し、且つ特に通信方法、ネットワーク装置と端末に関する。
【背景技術】
【０００２】
長期進化型（ＬＴＥ）システムでは、物理アップリンク制御チャネル（ＰＵＣＣＨ）がシステム帯域幅のエッジにある固定数のシンボル（例えば、１４つのシンボル）を有するフルアップリンクサブフレーム（ｆｕｌｌ  ｕｐｌｉｎｋ  ｓｕｂｆｒａｍｅ）で伝送される。
【０００３】
しかしながら、ＰＵＣＣＨを伝送する上記方法は柔軟ではない。
【発明の概要】
【発明が解決しようとする課題】
【０００４】
本発明はＰＵＣＣＨの伝送の柔軟性を向上させるように、通信方法、ネットワーク装置及び端末を提供する。
【課題を解決するための手段】
【０００５】
第一の態様による通信方法は、
ネットワーク装置は、端末に構成しようとする、第一の物理アップリンク制御チャネル（ＰＵＣＣＨ）を搬送するための一つ又は複数の第一のタイムスロットを確定することと、
前記ネットワーク装置は、前記端末へ第一の情報を送信し、前記第一の情報が、前記一つ又は複数の第一のタイムスロットで前記第一のＰＵＣＣＨを搬送するように前記端末を構成することに用いられることとを含む。
【０００６】
第二の態様による通信方法は、
端末がネットワーク装置からの第一の情報を受信し、前記第一の情報が一つ又は複数の第一のタイムスロットで第一の物理アップリンク制御チャネル（ＰＵＣＣＨ）を搬送するように前記端末を構成することに用いられることと、
前記端末が前記第一の情報に基づいて前記一つ又は複数の第一のタイムスロットで前記第一のＰＵＣＣＨを搬送することとを含む。
【０００７】
第三の態様によるネットワーク装置は、
端末に構成しようとする、第一の物理アップリンク制御チャネル（ＰＵＣＣＨ）を搬送するための一つ又は複数の第一のタイムスロットを確定するように構成される処理ユニットと、
前記端末へ第一の情報を送信するように構成され、前記第一の情報が、前記一つ又は複数の第一のタイムスロットで前記第一のＰＵＣＣＨを搬送するように前記端末を構成することに用いられる通信ユニットとを備える。
【０００８】
第四の態様によれば、端末は、
ネットワーク装置からの第一の情報を受信するように構成され、前記第一の情報が一つ又は複数の第一のタイムスロットで第一の物理アップリンク制御チャネル（ＰＵＣＣＨ）を搬送するように前記端末を構成することに用いられる通信ユニットと、
前記第一の情報に基づいて前記一つ又は複数の第一のタイムスロットで前記第一のＰＵＣＣＨを搬送するように構成される処理ユニットとを備える。
【０００９】
したがって、本発明の実施例では、前記ネットワーク装置は、前記一つ又は複数の第一のタイムスロットで前記第一のＰＵＣＣＨを搬送するように前記端末を構成するために、前記端末へ第一の情報を送信し、前記端末は、前記第一の情報に基づいて前記第一のＰＵＣＣＨを搬送する。したがって、前記端末は、固定数のシンボルを有するフルアップリンクサブフレームでＰＵＣＣＨを送信する必要がないため、前記ＰＵＣＣＨの送信の柔軟性を向上させる。
【図面の簡単な説明】
【００１０】
【図１】４Ｇ  ＬＴＥにおけるＰＵＣＣＨ伝送を示す図である。
【図２】本発明の一つの実施形態による通信方法を示す図である。
【図３】ＮＲにおけるタイムスロット構造の例を示す図である。
【図４】長ＰＵＣＣＨ（ＰＵＣＣＨ  ｗｉｔｈ  ａ  ｌｏｎｇ  ｄｕｒａｔｉｏｎ／ｌｏｎｇ  ＰＵＣＣＨ）を形成するためのタイムスロットのアグリゲーションの例を示す図である。
【図５】タイムスロットの中央で終了する長ＰＵＣＣＨの例を示す図である。
【図６】長ＰＵＣＣＨの多重化を示す図である。
【図７】長ＰＵＣＣＨと短ＰＵＣＣＨ（ＰＵＣＣＨ  ｗｉｔｈ  ａ  ｓｈｏｒｔ  ｄｕｒａｔｉｏｎ／ｓｈｏｒｔ  ＰＵＣＣＨ）との重なりの例を示す図である。
【図８】ダウンリンクを中心とするタイムスロットの例を示す図である。
【図９】本発明の一つの実施形態によるネットワーク装置を示す概略ブロック図である。
【図１０】本発明の一つの実施形態による端末を示す概略ブロック図である。
【図１１】本発明の一つの実施形態による通信装置を示す概略ブロック図である。
【発明を実施するための形態】
【００１１】
本発明の実施形態の技術的解決策をより明確に説明するために、以下に実施形態又は従来技術を説明するために必要な図面を簡単に説明する。明らかに、以下に説明される図面は本発明のいくつかの実施形態のみを示し、当業者はさらにこれらの図面に基づいて創造的な労働なしで他の図面を得ることができる。
【００１２】
以下に本発明の実施形態における図面を参照して本発明の実施形態における技術的解決策を明確に、全面的に説明する。明らかに、説明される実施形態は本発明の一部だけであり、全部の実施形態ではない。当業者が本発明の実施形態に基づいて創造的な労働なしで得る全ての他の実施形態はいずれも本発明の保護範囲に含まれる。
【００１３】
本発明の技術的解決策は、様々な通信システム、例えばグローバル移動通信システム（ＧＳＭ）、符号分割多元接続（ＣＤＭＡ）システム、広帯域符号分割多元接続（ＧＳＭ）、符号分割多元接続（ＣＤＭＡ）システム、広帯域符号分割多元接続（ＷＣＤＭＡ）、汎用パケット無線サービス（ＧＰＲＳ）及び長期進化型（ＬＴＥ）、新しい無線（ＮＲ、又は５Ｇ又は５Ｇ  ＮＲと呼ばれる）に応用されてもよい。
【００１４】
端末はさらにユーザ装置（ＵＥ）、移動端末、移動ユーザ装置などを指すことができ、無線アクセスネットワーク（例えばＲＡＮ）を介して一つ又は複数のコアネットワークと通信を行うことができる。ユーザ装置は移動端末例えば携帯電話（「セルラ」電話とも呼ばれてもよい）及び移動端末を備えたコンピュータであってもよい。例えば、ユーザ装置はポータブルデバイス、ポケットデバイス、ハンドヘルドデバイス、コンピュータ内蔵型デバイス又は無線アクセスネットワークと言語及び／又はデータを交換するための車載移動装置であってもよい。
【００１５】
ネットワーク装置はＧＳＭ又はＣＤＭＡにおける基地局送受信ステーション、又はＷＣＤＭＡにおけるＮｏｄｅＢ（ノードＢ）、又はＬＴＥにおける進化型ＮｏｄｅＢ（ｅＮＢ又はｅ−ＮｏｄｅＢ、進化したノードＢ）、又はＮＲにおける基地局であってもよい。本発明はこれに限定されない。
【００１６】
例えば、図１に示すように、長期進化型（ＬＴＥ）システムでは、物理アップリンク制御チャネル（ＰＵＣＣＨ）がシステム帯域幅のエッジにある固定数のシンボル（例えば、１４つのシンボル）を有するフルアップリンクサブフレームで伝送される。
【００１７】
しかしながら、ＰＵＣＣＨを伝送する上記方法は柔軟ではない。
【００１８】
本発明はＰＵＣＣＨの伝送の柔軟性を向上させるように、通信方法、ネットワーク装置及び端末を提供する。
【００１９】
図２は本発明の実施形態による通信方法１００を示す図である。
【００２０】
１１０において、ネットワーク装置は、端末に構成する、第一のＰＵＣＣＨを搬送するための一つ又は複数のタイムスロットを確定する。
【００２１】
代替的に、ネットワーク装置は端末に構成する、第一のＰＵＣＣＨを搬送するためのシンボルの数を推定し、推定したシンボルの数及び端末の使用可能なタイムスロット構造に基づいて一つ又は複数のタイムスロットを確定する。
【００２２】
代替的に、利用可能なタイムスロット構造は、アップリンクシンボル及び／又はダウンリンクシンボルの数を表す。
【００２３】
また、利用可能なタイムスロット構造はさらにアップリンクシンボル及び／又はダウンリンクシンボルの位置を表すことができる。
【００２４】
図３はＮＲにおいてＮＲにおいて使用され得る異なるタイムスロット構造のいくつかの例を示し、それがフルアップリンクタイムスロット（全てのシンボルがいずれもアップリンク伝送に用いられる）、アップリンク（ＵＬ）／ダウンリンク（ＤＬ）送信の両者を有するタイムスロットを含む。
【００２５】
アップリンク（ＵＬ）／ダウンリンク（ＤＬ）送信の両者を有するタイムスロットに対して、いくつかのタイムスロットは、複数のアップリンクシンボルを有する、アップリンクを中心する（ｕｐｌｉｎｋ−ｃｅｎｔｒｉｃ）タイムスロットであり、いくつかのタイムスロットは複数のダウンリンクシンボルを有する、ダウンリンクを中心とする（ｄｏｗｎｌｉｎｋ−ｃｅｎｔｒｉｃ）タイムスロットである。
【００２６】
ＤＬ伝送とＵＬ伝送の間に保護ギャップ（ＧＰ）が存在し、これにより端末はＤＬ受信からＵＬ送信にハンドオーバすることができる。
【００２７】
図４にアグリゲーションされて第一のＰＵＣＣＨ（上述した長ＰＵＣＣＨ）を形成する２つのタイムスロットの例が示され、ここでタイムスロット＃１がフルアップリンクタイムスロットであり、タイムスロット＃２がアップリンクを中心とするタイムスロットである。
【００２８】
注意すべきものとして、ＰＵＣＣＨに対するそのようなタイムスロットのアグリゲーションは各端末に対して構成される。
【００２９】
例えば、ある端末に対して、そのＰＵＣＣＨは２つのタイムスロットのアグリゲーションを必要とする可能性があり、他の端末に対して、単一のタイムスロットが十分である。
【００３０】
代替的に、ネットワーク装置は、
端末とネットワーク装置の間のアップリンクチャネルの信号対干渉波雑音比（ＳＩＮＲ）、端末が滞在するセルの大きさ、端末とネットワーク装置の間のパスの信号損失、端末の幾何学的形状及び端末のアップリンク伝送電力のうちの少なくとも一つ基づき、前記端末に構成する、前記第一のＰＵＣＣＨを搬送するためのシンボルの数を推定することができる。
【００３１】
代替的に、前記第一のＰＵＣＣＨは長ＰＵＣＣＨを指すことができる。
【００３２】
セルエッジの端末に対して、長い第一のＰＵＣＣＨの性能を保証するために、ＰＵＣＣＨのためのシンボルの特定数を維持する必要がある。例えば、４Ｇ  ＬＴＥと同様に、長ＰＵＣＣＨは合計１４個のシンボル（ＤＭＲＳを搬送するシンボルを含む）を有することができ、したがって、４Ｇ  ＬＴＥと同様の性能を少なくとも維持する。当然、セルにおける端末の位置及び／又はセルの大きさに応じて、必要なシンボルの数が変化してもよい。他方、異なる利用可能なアップリンクシンボルを有する様々なタイムスロットタイプがあるため、連続したタイムスロットをアグリゲーションしてＰＵＣＣＨのフルアップリンクシンボルに対するニーズを満たすことが時々必要である。端末がＵＣＩを準備し且つそのＰＵＣＣＨに対するこれらの指定されたタイムスロット及びシンボルでＵＣＩを伝送することができるように、このようなアグリゲーションを端末に通知する必要がある。
【００３３】
代替的に、長ＰＵＣＣＨはタイムスロットにおけるいずれかのシンボルで開始／終了することができる。
【００３４】
１２０において、ネットワーク装置は端末へ第一の情報を送信する。
【００３５】
代替的に、ネットワーク装置は端末へ第一の情報を半静的に送信することができる。
【００３６】
代替的に、各端末に対して、第一の情報を信号で端末に動的又は半静的に通知する。
【００３７】
例えば、対応するＰＤＳＣＨをスケジューリングするためのダウンリンク制御情報（ＤＣＩ）は第一の情報を搬送することに用いられてもよい。
【００３８】
一般的に、アグリゲーションされるタイムスロットの数（例えば、最大４つのアグリゲーションされるタイムスロット）を伝達することができる。
【００３９】
１３０において、端末はネットワーク装置からの第一の情報を受信する。
【００４０】
１４０において、端末は前記第一の情報に基づいて一つ又は複数の第一のタイムスロットで第一のＰＵＣＣＨを搬送する。
【００４１】
代替的に、第一の情報は各第一のタイムスロットのインデックスを含む。
【００４２】
代替的に、第一の情報を受信した後、端末は上記の各第一のタイムスロットのインデックスに基づき、第一のＰＵＣＣＨに構成される第一のタイムスロットを知る。
【００４３】
又は、第一の情報は第一のタイムスロットの数及び開始の第一のタイムスロットの指示（例えばインデックス）を含む。第一の情報を受信した後、端末は上記の開始の第一のタイムスロットの指示及び第一のタイムスロットの数に基づき、第一のＰＵＣＣＨに構成される第一のタイムスロットを知る。
【００４４】
開始のタイムスロットの後の全てのタイムスロットのいずれもＰＵＣＣＨを搬送するために用いられる場合、第一のＰＵＣＣＨに構成されるタイムスロットは、複数の連続したタイムスロットを含むことができる。
【００４５】
フルアップリンクタイムスロット及びアップリンクを中心とするタイムスロットだけが第一のＰＵＣＣＨを搬送することに用いられることができる場合、第一のＰＵＣＣＨに構成されるタイムスロットは複数の連続しないタイムスロットを含む可能性があり、タイムスロットのアグリゲーションにおいて、ダウンリンクを中心とするタイムスロットをスキップする必要がある可能性があるためである。
【００４６】
代替的に、第一のタイムスロットの全てのアップリンクシンボルはいずれもＰＵＣＣＨに構成される。第一の情報は該第一のタイムスロットの、端末に構成する、第一のＰＵＣＣＨを搬送するためのシンボルを表しなくてもよい。
【００４７】
ネットワーク装置は例えば該第一のタイムスロット構造を示す第二の情報を共通チャネルによって送信することができる。端末は第二の情報から第一のタイムスロット構造を知ることができる。したがって、端末は第一のタイムスロット構造に基づいて第一のタイムスロットのアップリンクシンボルを確定することができる。
【００４８】
異なるタイムスロットが異なる構造を有するため、ＰＵＣＣＨに利用可能なシンボルの数が異なる。設計を簡単にするために、ＰＵＣＣＨの指定されたタイムスロットで全てのアップリンクシンボルを使用することが推奨される。タイムスロットがアグリゲーションされる場合、アグリゲーションされたタイムスロットにおける利用可能なアップリンクシンボルの総数が必要なシンボルの総数を超える場合でも、最後のタイムスロットにおける全てのシンボルが依然としてＰＵＣＣＨに割り当てられてもよい。これは該タイムスロットにおける残りのシンボルを多重化する作業を省くことができる。図４に示すように、タイムスロット＃１とタイムスロット＃２の両者の全てのシンボルがＰＵＣＣＨに用いられる場合、総シンボルが実際に必要なシンボルより多い。
【００４９】
異なるタイムスロットが異なる構造を有するため、端末は第一のＰＵＣＣＨの各タイムスロットで使用される開始／終了シンボル又はシンボルの数を知る必要がある。指定されたタイムスロットにおける全てのアップリンクシンボルが第一のＰＵＣＣＨに用いられる場合、開始シンボルは簡単にアップリンクのための開始シンボルに用いられ、終了シンボルは該タイムスロットの最後のアップリンクシンボルである。端末が他の信号からこのような情報を得ることができるため、各端末にこのような情報を伝達する必要がない。例えば、開始／終了シンボルはタイムスロット構造から得られてもよく、タイムスロット構造はいくつかの共通制御チャネル、例えばグループ／セル共通制御チャネル（システム情報ブロック）又はＳＩＢを介して伝達されてもよい。図５に示すように、端末はある共通制御チャネルから、タイムスロット構造の一部の情報として、各タイムスロットの開始シンボルと終了シンボルを得ることができる。
【００５０】
代替的に、第一の情報は該第一のタイムスロットの、端末に構成する、第一のＰＵＣＣＨを搬送するためのシンボルを表すことができる。この場合、端末は第一の情報に基づき、端末に構成する、第一のＰＵＣＣＨを搬送するためのシンボルを知ることができる。
【００５１】
代替的に、第一の情報は、
端末に構成する、第一のＰＵＣＣＨを搬送するための各第一のタイムスロットの開始シンボル、端末に構成する、第一のＰＵＣＣＨを搬送するための各第一のタイムスロットの終了シンボル、及び端末に構成する、第一のＰＵＣＣＨを搬送するための各第一のタイムスロットのシンボルの数のうちの少なくとも一つを示す。
【００５２】
例えば、第一の情報は第一のタイムスロットの開始シンボルを表す。端末は該タイムスロットの開始シンボルの後の全てのアップリンクシンボルを知ることができ、開始シンボルが第一のＰＵＣＣＨに構成される。
【００５３】
例えば、第一の情報は第一のタイムスロットの終了シンボルを表す。端末は該タイムスロットの終了シンボルの前の全てのアップリンクシンボルを知ることができ、終了シンボルが第一のＰＵＣＣＨに構成される。
【００５４】
例えば、第一の情報は第一のタイムスロットの開始シンボル及び終了シンボルを表す。端末は開始シンボルと終了シンボルの間の全てのアップリンクシンボルを知ることができ、開始シンボルと終了シンボルが第一のＰＵＣＣＨに構成される。
【００５５】
代替的に、第一のＰＵＣＣＨの終了シンボルは該タイムスロットの中央に位置してもよく、例えば図５に示すように、他の端末は該タイムスロットの残りのシンボルをそのＰＵＣＣＨに用いることができる。
【００５６】
ほとんどのタイムスロットがアップリンクタイムスロットだけである場合、該方法は、タイムスロットの任意の適合位置にＰＵＣＣＨを開始／終了することをサポートすることにおいて一定の利点を有し、それによって多重化能力を高め、より多くのオーバーヘッドを節約する。
【００５７】
代替的に、異なる端末に対して、同じビデオリソースで長ＰＵＣＣＨを多重化し又は一部で多重化することができる。
【００５８】
図６に示すように、ＰＵＣＣＨ＃１が２つのタイムスロットに横たわり、ＰＵＣＣＨ＃２及び＃３がそれぞれ１つのタイムスロットに横たわる。ＰＵＣＣＨ＃２とＰＵＣＣＨ＃３はそれぞれ異なるタイムスロットでＰＵＣＣＨ＃１と多重化することができる。これにより、異なるＵＥのＰＵＣＣＨの割り当て及び多重化がより柔軟になり、ＰＵＣＣＨ伝送のためのビデオリソースオーバーヘッドを節約する。
【００５９】
代替的に、ネットワーク装置は端末に構成する、第二のＰＵＣＣＨを搬送するための一つ又は複数の第二のタイムスロットを確定し、上記一つ又は複数の第二のタイムスロットで第二のＰＵＣＣＨを搬送するように端末を構成するために、端末へ第三の情報を送信する。この場合、端末はネットワーク装置から第三の情報を受信し、上記一つ又は複数の第二のタイムスロットで第二のＰＵＣＣＨを搬送する。
【００６０】
代替的に、第一のＰＵＣＣＨは第一のアプリケーションのＵＣＩを搬送するように構成され、第二のＰＵＣＣＨは第一のアプリケーションと異なる第二のアプリケーションのＵＣＩを搬送するように構成される。
【００６１】
例えば、第一のＰＵＣＣＨはＰＤＳＣＨの確認（ＡＣＫ）又は非確認（ＮＡＣＫ）情報を搬送するように構成され、第二のＰＵＣＣＨは他のＰＤＳＣＨのＡＣＫ又はＮＡＣＫ情報を搬送するように構成される。
【００６２】
例えば、第一のＰＵＣＣＨはスケジューリングリクエストを送信するように構成され、第二のＰＵＣＣＨは他のＰＤＳＣＨのＡＣＫ又はＮＡＣＫ情報を搬送するように構成される。
【００６３】
例えば、第一のＰＵＣＣＨはＣＱＩフィードバックを送信するように構成され、第二のＰＵＣＣＨはスケジューリングリクエストを搬送するように構成される。
【００６４】
ＮＲシステムの設計において、長い（ロングフォーマットの）物理アップリンク制御チャネル（ＰＵＣＣＨ）が導入される。長ＰＵＣＣＨの主な目的はセルエッジの端末に対して、又は端末にカバレッジ問題がある場合のみ、アップリンク制御情報（ＵＣＩ）を伝送することに用いられることにある。セルエッジの端末に対するＰＵＣＣＨのロバスト性能を維持するために、ＰＵＣＣＨで伝送されるＵＣＩは、ＰＵＣＣＨに割り当てられた時間周波数リソース内の同じ／異なるシンボルで拡散／重複されて送信されてもよく、周波数ダイバーシティ利得に対して周波数ホッピングを用いることができる。
【００６５】
代替的に、第一のＰＵＣＣＨと第二のＰＵＣＣＨの両者に少なくとも一つのシンボルが構成される。
【００６６】
代替的に、第一のＰＵＣＣＨと第二のＰＵＣＣＨの両者にシンボルが構成されない。
【００６７】
代替的に、第一のＰＵＣＣＨは長ＰＵＣＣＨであってもよく、第二のＰＵＣＣＨは短ＰＵＣＣＨであってもよい。
【００６８】
代替的に、第一の情報によって構成された第一のＰＵＣＣＨは短縮された長ＰＵＣＣＨであり、ここで、上記一つのタイムスロットの、第二のＰＵＣＣＨを搬送するように構成されるシンボル以外の全てのアップリンクシンボルは第一のＰＵＣＣＨを搬送するように構成される。
【００６９】
代替的に、第一の情報によって構成された第一のＰＵＣＣＨは短縮された長ＰＵＣＣＨであり、ここで、上記一つのタイムスロットの、最後の一つ又は２つのシンボル以外の全てのアップリンクシンボルは第一のＰＵＣＣＨを搬送するように構成され、構成された第二のＰＵＣＣＨは短ＰＵＣＣＨであり、ここで、上記一つのタイムスロットの最後の一つ又は２つのシンボルは第二のＰＵＣＣＨを搬送するように構成される。
【００７０】
この場合、第一の情報と第二の情報を信号で端末に半静的に通知することができる。
【００７１】
代替的に、第二のＰＵＣＣＨは該タイムスロットの最後の一つ又は２つのシンボルを占有する短ＰＵＣＣＨであり、構成された第一のＰＵＣＣＨは通常の長ＰＵＣＣＨであり、ここで、上記一つのタイムスロットの全てのシンボルは第二のＰＵＣＣＨを搬送するように構成される。
【００７２】
この場合、第一の情報と第二の情報を信号で端末に半静的に通知することができる。
【００７３】
ネットワーク装置は第四の情報を動的に送信することができ、第四の情報が上記一つのタイムスロットで伝送される第一のＰＵＣＣＨの終了シンボルを示す。
【００７４】
代替的に、短縮されたＰＵＣＣＨフォーマット又は一般的なＰＵＣＣＨフォーマットを第四の情報を介して信号で端末に通知し、該タイムスロットにおける長ＰＵＣＣＨの終了シンボルを示すことができる。
【００７５】
代替的に、第四の情報を送信する前に、ネットワーク装置は、該タイムスロットの最後の一つ又は２つのシンボルの中の前記第一のＰＵＣＣＨに構成される時間周波数リソースが該タイムスロットの最後の一つ又は２つのシンボルの中の第二のＰＵＣＣＨに構成される時間周波数リソースと重なるか否かという判定に基づき、第一のタイムスロットで伝送される第一のＰＵＣＣＨの終了シンボルを確定することができる。
【００７６】
該タイムスロットの最後の一つ又は２つのシンボルの中の第一のＰＵＣＣＨに構成される時間周波数リソースが該タイムスロットの最後の一つ又は２つのシンボルの中の前記第二のＰＵＣＣＨに構成される時間周波数リソースと重ならない場合、第四の情報によって示される終了シンボルは該タイムスロットの最後のシンボルである。
【００７７】
該タイムスロットの最後の一つ又は２つのシンボルの中の前記第一のＰＵＣＣＨに構成される時間周波数リソースが該タイムスロットの最後の一つ又は２つのシンボルの中の前記第二のＰＵＣＣＨに構成される時間周波数リソースと重なる場合、第四の情報によって示される終了シンボルは該タイムスロットの最後から２番目のシンボル又は最後の３番目のシンボルである。この場合、伝送される第一のＰＵＣＣＨは短縮された長ＰＵＣＣＨであってもよい。
【００７８】
特に、ＮＲでは、高速のＵＣＩフィードバックを提供するために、短い（又はフォーマットの）ＰＵＣＣＨが導入され、図７に示すように、それがタイムスロットの最後のいくつかのシンボルで伝送されてもよい。同じ端末は異なるアプリケーション（それらがそれぞれこの２種類のＰＵＣＣＨで伝送される必要がある）に対して異なるＵＣＩが存在するため、同じタイムスロットで長ＰＵＣＣＨと短ＰＵＣＣＨが同時に存在することをサポートする必要がある。これは長ＰＵＣＣＨと短ＰＵＣＣＨが重なる状況を引き起こす。この状況を処理する簡単方式は長ＰＵＣＣＨの持続時間を短縮して例えば図７のタイムスロット＃１におけるＰＵＣＣＨに示される重なりを回避することである。この場合、該タイムスロットにおける長ＰＵＣＣＨの終了シンボルを信号で端末に動的又は半静的に通知し、又は、前記端末は短いＰＵＣＣＨから長ＰＵＣＣＨを構成することができる。ある場合、これらの重なるシンボルで長ＰＵＣＣＨに割り当てられた物理リソースブロックでいかなる短ＰＵＣＣＨを伝送しない可能性があり、したがって、これらの重なるリソースを利用するために、長ＰＵＣＣＨの持続時間は図７のタイムスロット＃２におけるＰＵＣＣＨに示されるタイムスロットの終了まで延びることができる。この場合、長ＰＵＣＣＨの終了シンボルを端末に通知する必要があり、このシグナリング通知が例えば対応するＰＤＳＣＨのＤＣＩで動的に送信されてもよい。代替的に、長ＰＵＣＣＨを２つのフォーマットに分類することができ、第一のフォーマットが図７のタイムスロット＃１におけるＰＵＣＣＨに示される、短縮された持続時間を有するタイムスロットであり、ここで短ＰＵＣＣＨと重ならない。第二のフォーマットが一般的な持続時間を有するタイムスロットであり、ここで、長ＰＵＣＣＨは図７のタイムスロット＃２におけるＰＵＣＣＨに示されるタイムスロットの最後の一つ又は２つのシンボルで終了する。この場合、長ＰＵＣＣＨと短ＰＵＣＣＨが重なる。例えば対応するＰＤＳＣＨのＤＣＩを動的に用い、どのフォーマットを用いるかを信号で端末に通知する。
【００７９】
ある場合、該タイムスロットは、ダウンリンクを中心とするアップリンクタイムスロットであり、図８に示すように、短ＰＵＣＣＨに構成することができる１〜２つのシンボルのみを含む可能性がある。
【００８０】
この場合、まず長ＰＵＣＣＨに利用可能なシンボルが多くなく、次に、これは長ＰＵＣＣＨと短ＰＵＣＣＨの多重化の複雑さを増すため、このようなタイムスロットで長ＰＵＣＣＨを伝送するべきではない。要約すると、ダウンリンクを中心とするタイムスロットに対して、ネットワーク装置は長ＰＵＣＣＨにリソースを割り当てなく、端末はこのタイプのタイムスロットで長ＰＵＣＣＨの伝送を行わない。タイムスロットでアグリゲーションされて長ＰＵＣＣＨに用いられる場合、アグリゲーションにおいて、これらのタイムスロットをスキップする必要がある可能性がある。
【００８１】
理解すべきものとして、短ＰＵＣＣＨが該タイムスロットの最後の３つ又は４つのシンボル（又は最後の他の数のシンボル）を占有し、短縮された長ＰＵＣＣＨが該タイムスロットの最後の３つ又は４つのシンボル（又は最後の他の数のシンボル）以外の全てのアップリンクシンボルを占有することができる。
【００８２】
図９は本発明の一つの実施形態によるネットワーク装置２００を示す概略ブロック図である。
【００８３】
図９に示すように、ネットワーク装置２００は、端末に構成しようとする、第一の物理アップリンク制御チャネル（ＰＵＣＣＨ）を搬送するための一つ又は複数の第一のタイムスロットを確定するように構成される処理ユニット２１０と、上記一つ又は複数の第一のタイムスロットで第一のＰＵＣＣＨを搬送するように端末を構成するために、端末へ第一の情報を送信するように構成される通信ユニット２００とを備える。
【００８４】
代替的に、処理ユニット２１０はさらに、
前記端末に構成する、前記第一のＰＵＣＣＨを搬送するためのシンボルの数を推定し、
推定したシンボルの数及び前記端末の使用可能なタイムスロット構造に基づいて前記一つ又は複数の第一のタイムスロットを確定するように構成される。
【００８５】
代替的に、タイムスロット構造は、アップリンクシンボル及び／又はダウンリンクシンボルの数を表す。
【００８６】
代替的に、処理ユニット２１０はさらに、
以下の少なくとも一つに基づき、端末に構成する、前記第一のＰＵＣＣＨを搬送するためのシンボルの数を推定するように構成される：
端末とネットワーク装置の間のアップリンクチャネルの信号対干渉波雑音比（ＳＩＮＲ）、端末が滞在するセルの大きさ、端末とネットワーク装置の間のパスの信号損失、端末の幾何学的形状及び端末のアップリンク伝送電力。
【００８７】
代替的に、第一の情報は各第一のタイムスロットのインデックスを含み、又は
代替的に、第一の情報は開始の第一のタイムスロットのインデックス、及び第一のタイムスロットの数を含む。
【００８８】
代替的に、第一のタイムスロットの全てのアップリンクシンボルは第一のＰＵＣＣＨを搬送するように構成される。
【００８９】
代替的に、通信ユニット２２０はさらに、
前記第一のタイムスロット構造を示す第二の情報を共通制御チャネルによって送信するように構成される。
【００９０】
代替的に、第一の情報は該第一のタイムスロットの、端末に構成する、第一のＰＵＣＣＨを搬送するためのシンボルを表すことができる。
【００９１】
代替的に、第一の情報は、
端末に構成する、第一のＰＵＣＣＨを搬送するための開始シンボル、端末に構成する、第一のＰＵＣＣＨを搬送するための終了シンボル、及び端末に構成する、第一のＰＵＣＣＨを搬送するためのシンボルの数のうちの少なくとも一つを示す。
【００９２】
代替的に、第一の情報は端末に動的又は半静的に送信される。
【００９３】
代替的に、処理ユニット２１０はさらに端末に構成する、第二のＰＵＣＣＨを搬送するための一つ又は複数の第二のタイムスロットを確定するように構成され、通信ユニットはさらに上記一つ又は複数のタイムスロットで第二のＰＵＣＣＨを搬送するように端末を構成するために、端末へ第三の情報を送信するように構成される。
【００９４】
代替的に、第一のＰＵＣＣＨは、第一のアプリケーションのＵＣＩを搬送するように構成され、及び
第二のＰＵＣＣＨは、前記第一のアプリケーションと異なる第二のアプリケーションのＵＣＩを搬送するように構成される。
【００９５】
代替的に、構成された第一のＰＵＣＣＨは長ＰＵＣＣＨであり、構成された第二のＰＵＣＣＨは短ＰＵＣＣＨである。
【００９６】
代替的に、一つの第二のタイムスロットは一つの第二のＰＵＣＣＨを搬送するように構成され、且つ上記一つの第二のタイムスロットは、一つの第一のＰＵＣＣＨを搬送する上記一つ又は複数の第一のタイムスロットのうちの一つのタイムスロットとして構成される。
【００９７】
代替的に、構成された第一のＰＵＣＣＨは短縮された長ＰＵＣＣＨであり、ここで、上記一つのタイムスロットの、第二のＰＵＣＣＨを搬送するように構成されるシンボル以外の全てのアップリンクシンボルは第一のＰＵＣＣＨを搬送するように構成される。
【００９８】
代替的に、構成された第一のＰＵＣＣＨは短縮された長ＰＵＣＣＨであり、ここで、上記一つのタイムスロットの、最後の一つ又は２つのシンボル以外の全てのアップリンクシンボルは第一のＰＵＣＣＨを搬送するように構成され、第二のＰＵＣＣＨは短ＰＵＣＣＨであり、ここで、上記一つのタイムスロットの最後の一つ又は２つのシンボルは第二のＰＵＣＣＨを搬送するように構成される。
【００９９】
代替的に、構成された第一のＰＵＣＣＨは通常の長ＰＵＣＣＨであり、ここで上記一つのタイムスロットの全てのアップリンクシンボルは第一のＰＵＣＣＨを搬送するように構成され、第二のＰＵＣＣＨは短ＰＵＣＣＨであり、ここで上記一つのタイムスロットの最後の一つ又は２つのシンボルは第二のＰＵＣＣＨを搬送するように構成される。
【０１００】
代替的に、通信ユニット２２０はさらに、
第四の情報を送信するように構成され、第四の情報が前記一つのタイムスロットで伝送される前記第一のＰＵＣＣＨの終了シンボルを示す。
【０１０１】
代替的に、処理ユニット２１０はさらに、
最後の一つ又は２つのシンボルの中の第一のＰＵＣＣＨに構成される時間周波数リソースが最後の一つ又は２つのシンボルの中の第二のＰＵＣＣＨに構成される時間周波数リソースと重なるか否かという判定に基づき、前記第一のタイムスロットで伝送される前記第一のＰＵＣＣＨの終了シンボルを確定するように構成される。
【０１０２】
代替的に、最後の一つ又は２つのシンボルの中の第一のＰＵＣＣＨに構成される時間周波数リソースが該タイムスロットの最後の一つ又は２つのシンボルの中の第二のＰＵＣＣＨに構成される時間周波数リソースと重ならない場合、第四の情報によって示される終了シンボルは該タイムスロットの最後のシンボルであり、及び
該タイムスロットの最後の一つ又は２つのシンボルの中の第一のＰＵＣＣＨに構成される時間周波数リソースが該タイムスロットの最後の一つ又は２つのシンボルの中の第二のＰＵＣＣＨに構成される時間周波数リソースと重なる場合、第四の情報によって示される終了シンボルは該タイムスロットの最後から２番目のシンボル又は最後の３番目のシンボルである。
【０１０３】
代替的に、第一のタイムスロットはアップリンクを中心とするタイムスロットである。
【０１０４】
理解すべきものとして、ネットワーク装置２００は方法の実施形態におけるネットワーク装置に対応し、方法の実施形態におけるネットワーク装置によって実施される操作を実施する。
【０１０５】
図１０は本発明の一つの実施形態による端末３００の概略ブロック図である。
【０１０６】
図１０に示すように、端末３００は、ネットワーク装置から第一の情報を受信するように構成され、第一の情報が、第一の物理アップリンク制御チャネル（ＰＵＣＣＨ）を一つ又は複数の第一のタイムスロットで搬送するように端末を構成することに用いられる通信ユニット３１０と、第一の情報に基づいて第一のＰＵＣＣＨを上記一つ又は複数の第一のタイムスロットで搬送するように構成される処理ユニット３２０とを備える。
【０１０７】
代替的に、第一の情報は各第一のタイムスロットのインデックスを含む。
【０１０８】
代替的に、第一の情報は開始の第一のタイムスロットのインデックス、及び第一のタイムスロットの数を含む。
【０１０９】
代替的に、第一のタイムスロットの全てのアップリンクシンボルは第一のＰＵＣＣＨを搬送するように構成される。
【０１１０】
代替的に、処理ユニット３２０はさらに、
第一のタイムスロット構造に基づいて第一のタイムスロットのアップリンクシンボルを確定するように構成され、ここで、第一のタイムスロット構造がアップリンクシンボル及び／又はダウンリンクシンボルの数を示す。
【０１１１】
代替的に、通信ユニット３１０はさらに、
ネットワーク装置からの第二の情報を受信するように構成され、第二の情報が第一のタイムスロット構造を示し、ここで、第二の情報が共通制御チャネルに搬送される。
【０１１２】
代替的に、第一の情報はさらに該第一のタイムスロットの端末に構成する、第一のＰＵＣＣＨを搬送するためのシンボルを表す。
【０１１３】
代替的に、第一の情報は、
端末に構成する、第一のＰＵＣＣＨを搬送するための開始シンボル、端末に構成する、第一のＰＵＣＣＨを搬送するための終了シンボル、及び端末に構成する、第一のＰＵＣＣＨを搬送するためのシンボルの数のうちの少なくとも一つを示す。
【０１１４】
代替的に、第一の情報は端末に動的又は半静的に送信される。
【０１１５】
代替的に、通信ユニット３１０はさらに、
ネットワーク装置からの第二の情報を受信するように構成され、第二の情報が、一つ又は複数の第二のタイムスロットで第二のＰＵＣＣＨを搬送するように端末を構成することに用いられ、及び
該処理ユニットは、
上記一つ又は複数の第二のタイムスロットで第二のＰＵＣＣＨを搬送するように構成される。
【０１１６】
代替的に、第一のＰＵＣＣＨは、第一のアプリケーションのＵＣＩを搬送するように構成され、及び
第二のＰＵＣＣＨは、第一のアプリケーションと異なる第二のアプリケーションのＵＣＩを搬送するように構成される。
【０１１７】
代替的に、構成された第一のＰＵＣＣＨは長ＰＵＣＣＨであり、構成された第二のＰＵＣＣＨは短ＰＵＣＣＨである。
【０１１８】
代替的に、一つの第二のタイムスロットは一つの第二のＰＵＣＣＨを搬送するように構成され、且つ上記一つの第二のタイムスロットは、一つの第一のＰＵＣＣＨを搬送する上記一つ又は複数の第一のタイムスロットのうちの一つのタイムスロットとして構成される。
【０１１９】
代替的に、構成された第一のＰＵＣＣＨは短縮された長ＰＵＣＣＨであり、ここで、上記一つのタイムスロットの、最後の一つ又は２つのシンボル以外の全てのアップリンクシンボルは第一のＰＵＣＣＨを搬送するように構成され、第二のＰＵＣＣＨは短ＰＵＣＣＨであり、ここで、上記一つのタイムスロットの最後の一つ又は２つのシンボルは第二のＰＵＣＣＨを搬送するように構成される。
【０１２０】
代替的に、構成された第一のＰＵＣＣＨは通常の長ＰＵＣＣＨであり、ここで、上記一つのタイムスロットの全てのアップリンクシンボルは第一のＰＵＣＣＨを搬送するように構成され、第二のＰＵＣＣＨは短ＰＵＣＣＨであり、短ＰＵＣＣＨが上記一つのタイムスロットの最後の一つ又は２つのシンボルを占有する。
【０１２１】
代替的に、通信ユニット３１０はさらに、
ネットワーク装置からの第四の情報を受信するように構成され、ここで、第四の情報が上記一つのタイムスロットで伝送される第一のＰＵＣＣＨの終了シンボルを示し、及び
該処理ユニットは、第四の情報に基づいて上記一つ又は複数の第一のタイムスロットで前記第一のＰＵＣＣＨを搬送するように構成される。
【０１２２】
代替的に、第一のタイムスロットはアップリンクを中心とするタイムスロットである。
【０１２３】
理解すべきものとして、ネットワーク装置３００は方法の実施形態における端末に対応し、方法の実施形態における端末によって実施される操作を実施する。
【０１２４】
図１１は本発明の一つの実施形態による通信装置４００を示す概略ブロック図である。
【０１２５】
装置４００は上記の方法を実行することができる。装置４００は一つ又は複数の通信又はデータ基準又は技術（ＮＲを含むがこれに限定されない）に基づいて動作することができる。
【０１２６】
一般的には、装置４００は無線通信を提供できるいずれかの装置、例えば端末又はネットワーク装置であってもよい。
【０１２７】
装置４００はプロセッサ４１０、メモリ４２０及び通信ネットワークを介してデータを送信及び／又は受信するための通信インタフェース４３０を備えることができ、これらの部材が図４に示すように構成されてもよく、図４に示すように構成されなくてもよい。装置４００は装置のユーザから情報及び命令を受信し、情報をユーザに表示又は提供するためのユーザインタフェース（図示せず）を備えることができる。
【０１２８】
いくつかの実施形態では、装置４００は他の要素を実行し且つ通信ネットワークへのデータ送信の機能を有する機器を備える。
【０１２９】
通信インタフェース４３０を介し、該装置は無線媒体を介して通信ネットワークにおける他の装置へデータを送信、受信し又は送信且つ受信し、無線媒体を介して通信ネットワークにおける他の装置から信号を送信、受信し又は送信且つ受信することができる。通信インタフェース４３０は一つ又は複数のアンテナ（示せず）、送信機、受信機とデコーダ（示せず）を含むことができる。受信された信号が通信インタフェース４３０に入力され、通信インタフェース４３０は信号増幅、周波数ダウンコンバージョン、フィルタリング、チャンネル選択、アナログデジタル変換などの汎用受信機機能を実行することができる。同様に、伝送される信号は通信インタフェース４３０によって処理され、該処理が変調及び符号化、デジタルアナログ変換、周波数アップコンバージョン、フィルタリング、増幅及び送信を含む。
【０１３０】
メモリ４２０は命令を記憶することができ、プロセッサ４１０はメモリ４１０に記憶された命令を実行することでいかなる方法を実行することができる。
【０１３１】
したがって、本発明の実施例では、ネットワーク装置は、上記一つ又は複数の第一のタイムスロットで第一のＰＵＣＣＨを搬送するように端末を構成するために、端末へ第一の情報を送信し、端末が第一の情報に基づいて第一のＰＵＣＣＨを搬送する。したがって、端末は、固定数のシンボルを有するフルアップリンクサブフレームでＰＵＣＣＨを送信する必要がないため、前記ＰＵＣＣＨの送信の柔軟性を向上させる。
【０１３２】
当業者であれば、本明細書で開示された実施形態と組み合わせて説明された例のユニット及びアルゴリズムステップは、電子ハードウェア又はコンピュータソフトウェアと電子ハードウェアの組み合わせで実現されてもよいと理解できる。これらの機能がハードウェア又はソフトウェアによって実行されるか否かは具体的なアプリケーション及び技術的解決策の設計上の制約条件に依存する。それぞれの具体的なアプリケーションに対して、当業者は、説明された機能を異なる方法で実行することができ、この実行が本発明の範囲を超えていると理解すべきではない。
【０１３３】
説明を簡潔にするために、上記システム、装置及びユニットの具体的な動作プロセスについて、上記方法の実施形態の対応するプロセスを参照することができることは当業者にとって明らかに理解され、ここでは説明を省略する。
【０１３４】
本出願によって提供されるいくつかの実施形態では、開示されたシステム、デバイス及び方法を他のモードに従って実現することができると理解すべきである。例えば、上記装置の実施形態は例だけであり、ユニットの区分は論理的区分だけであり、具体的に実施する時に他の区分モードを使用することができる。例えば、複数のユニット又は部材を他のシステムに組み合わせ又は統合させることができ、又はいくつかの特徴を無視し、又は実行しないことができる。別の観点から、表示又は議論する相互結合又は直接結合又は通信接続は、装置又はユニットがいくつかのインターフェースを介する間接的結合又は通信接続であってもよく、電気的、機械的又は他の形態であってもよい。
【０１３５】
単独した部材として示されるユニットは物理的に分離されてもよく、物理的に分離されなくてもよく、ユニットとして表示される部材は物理ユニットであってもよく、又は物理ユニットではなくてもよく、即ち、上記部材は一つの箇所に構成されてもよく、又は複数のネットワークユニットに分散されてもよい。実際のニーズに応じて一部又は全てのユニットを選択し、上記実施形態の技術的解決策の目的を満たすことができる。
【０１３６】
また、本発明の様々な実施形態では、上記機能ユニットは一つの処理ユニットに統合されてもよく、又は上記機能ユニットは物理的に独立して存在してもよく、又は２つ又は複数のユニットは一つのユニットに統合される。
【０１３７】
これらの機能がソフトウェア機能の形で実施され且つ独立した製品の形で販売又は使用される場合、これらの機能はコンピュータ可読記憶媒体に記憶されてもよい。このような理解に基づき、基本的に、本発明の技術的解決策、又は従来技術に寄与する部分、又は技術的解決策の一部は、ソフトウェア製品の形で実施されてもよい。上記コンピューティングソフトウェア製品は、コンピュータ装置（それがパーソナルコンピュータ、サーバ、ネットワーク装置などであってもよい）が本発明の実施形態の方法のステップの全部又は一部を実行することを可能にする複数の命令を含む記憶媒体に記憶される。上記記憶媒体はプログラムコードを記憶できる様々な媒体、例えばＵＳＢディスク、モバイルハードディスク、読み出し専用メモリ（ＲＯＭ）、ランダムアクセスメモリ（ＲＡＭ）、磁気ディスク、光ディスク等を含む。
【０１３８】
以上に本発明の特定の実施形態だけが開示されたが、本発明の保護範囲はそれに限定されない。当業者は本発明で開示された技術範囲内で様々な変形又は代替形態を容易に想到し、且つこれらの変形又は代替形態はいずれも本発明の範囲内に含まれる。したがって、本発明の保護範囲は特許請求の範囲によって限定されるべきである。
【手続補正２】
【補正対象書類名】特許請求の範囲
【補正対象項目名】全文
【補正方法】変更
【補正の内容】
【特許請求の範囲】
【請求項１】
通信方法であって、
ネットワーク装置は、端末に構成しようとする、第一の物理アップリンク制御チャネル（ＰＵＣＣＨ）を搬送するための一つ又は複数の第一のタイムスロットを確定することと、
前記ネットワーク装置は、前記端末へ第一の情報を送信し、前記第一の情報が、前記一つ又は複数の第一のタイムスロットで前記第一のＰＵＣＣＨを搬送するように前記端末を構成することに用いられることとを含む、前記通信方法。
【請求項２】
前記ネットワーク装置が、端末に構成する、第一のＰＵＣＣＨを搬送するための一つ又は複数のタイムスロットを確定することは、
前記ネットワーク装置は、前記端末に構成する、前記第一のＰＵＣＣＨを搬送するためのシンボルの数を推定することと、
前記ネットワーク装置は、推定したシンボルの数及び前記端末の使用可能なタイムスロット構造に基づいて前記一つ又は複数のタイムスロットを確定することとを含み、
前記タイムスロット構造は、アップリンクシンボル及び／又はダウンリンクシンボルの数を表すことを特徴とする
請求項１に記載の方法。
【請求項３】
前記第一の情報は各第一のタイムスロットのインデックスを含み、又は
前記第一の情報は、前記第一のタイムスロットの数と開始の第一のタイムスロットの指示とを含むことを特徴とする
請求項１又は２に記載の方法。
【請求項４】
前記方法はさらに、
前記ネットワーク装置は、前記第一のタイムスロット構造を示す第二の情報を共通制御チャネルによって送信することを含むことを特徴とする
請求項１−３のいずれか一項に記載の方法。
【請求項５】
前記第一の情報はさらに、前記第一のタイムスロットの、前記端末に構成した、前記第一のＰＵＣＣＨを搬送するためのシンボルを示すことを特徴とする
請求項１−４のいずれか一項に記載の方法。
【請求項６】
通信方法であって、
端末は、ネットワーク装置からの第一の情報を受信し、前記第一の情報が、一つ又は複数の第一のタイムスロットで第一の物理アップリンク制御チャネル（ＰＵＣＣＨ）を搬送するように前記端末を構成することに用いられることと、
前記端末は、前記第一の情報に基づいて前記一つ又は複数の第一のタイムスロットで前記第一のＰＵＣＣＨを搬送することとを含む、前記通信方法。
【請求項７】
前記第一の情報は各第一のタイムスロットのインデックスを含み、又は
前記第一の情報は、前記第一のタイムスロットの数と開始の第一のタイムスロットの指示とを含むことを特徴とする
請求項６に記載の方法。
【請求項８】
前記方法はさらに、
前記端末は、前記第一のタイムスロット構造に基づいて前記第一のタイムスロットのアップリンクシンボルを確定し、ここで、前記第一のタイムスロット構造がアップリンクシンボル及び／又はダウンリンクシンボルの数を示すことを特徴とする
請求項６に記載の方法。
【請求項９】
前記方法はさらに、
前記端末は、前記ネットワーク装置からの、前記第一のタイムスロット構造を示す第二の情報を受信し、ここで、前記第二の情報が共通制御チャネルに搬送されることを含むことを特徴とする
請求項８に記載の方法。
【請求項１０】
前記第一の情報はさらに、前記第一のタイムスロットの、前記端末に構成する、前記第一のＰＵＣＣＨを搬送するためのシンボルを示すことを特徴とする
請求項６−８のいずれか一項に記載の方法。
【請求項１１】
ネットワーク側装置であって、
端末に構成しようとする、第一の物理アップリンク制御チャネル（ＰＵＣＣＨ）を搬送するための一つ又は複数の第一のタイムスロットを確定するように構成される処理ユニットと、
前記端末へ第一の情報を送信するように構成され、前記第一の情報が、前記一つ又は複数の第一のタイムスロットで前記第一のＰＵＣＣＨを搬送するように前記端末を構成することに用いられる通信ユニットとを備える、前記ネットワーク装置。
【請求項１２】
前記処理ユニットはさらに、
前記端末に構成する、前記第一のＰＵＣＣＨを搬送するためのシンボルの数を推定し、
推定したシンボルの数及び前記端末の使用可能なタイムスロット構造に基づいて前記一つ又は複数の第一のタイムスロットを確定するように構成され、
前記タイムスロット構造は、アップリンクシンボル及び／又はダウンリンクシンボルの数を表すことを特徴とする
請求項１１に記載のネットワーク装置。
【請求項１３】
前記第一の情報は各第一のタイムスロットのインデックスを含み、又は
前記第一の情報は、前記第一のタイムスロットの数と開始の第一のタイムスロットの指示とを含むことを特徴とする
請求項１１又は１２に記載のネットワーク装置。
【請求項１４】
前記通信ユニットはさらに、
前記第一のタイムスロット構造を示す第二の情報を共通制御チャネルによって送信するように構成されることを特徴とする
請求項１１−１３のいずれか一項に記載のネットワーク装置。
【請求項１５】
前記第一の情報はさらに、前記第一のタイムスロットの、前記端末に構成した、前記第一のＰＵＣＣＨを搬送するためのシンボルを示すことを特徴とする
請求項１１−１４のいずれか一項に記載のネットワーク装置。
【請求項１６】
端末であって、
ネットワーク装置からの第一の情報を受信するように構成され、前記第一の情報が、一つ又は複数の第一のタイムスロットで第一の物理アップリンク制御チャネル（ＰＵＣＣＨ）を搬送するように前記端末を構成することに用いられる通信ユニットと、
前記第一の情報に基づいて前記一つ又は複数の第一のタイムスロットで前記第一のＰＵＣＣＨを搬送するように構成される処理ユニットとを備える、前記端末。
【請求項１７】
前記第一の情報は各第一のタイムスロットのインデックスを含み、又は
前記第一の情報は、前記第一のタイムスロットの数と開始の第一のタイムスロットの指示とを含むことを特徴とする
請求項１６に記載の端末。
【請求項１８】
前記処理ユニットはさらに、
前記第一のタイムスロット構造に基づいて前記第一のタイムスロットのアップリンクシンボルを確定し、ここで、前記第一のタイムスロット構造がアップリンクシンボル及び／又はダウンリンクシンボルの数を示すことを特徴とする
請求項１６に記載の端末。
【請求項１９】
前記通信ユニットはさらに、
前記ネットワーク装置からの第二の情報を受信するように構成され、前記第二の情報が前記第一のタイムスロット構造を示し、ここで、前記第二の情報が共通制御チャネルに搬送されることを特徴とする
請求項１８に記載の端末。
【請求項２０】
前記第一の情報はさらに、前記第一のタイムスロットの、前記端末に構成した、前記第一のＰＵＣＣＨを搬送するためのシンボルを示すことを特徴とする
請求項１６−１８のいずれか一項に記載の端末。